(57)【要約】【課題】水質改善効率が改良され、浄化に要する時間が短縮された浄水ポットを提供する。【解決手段】  本発明による浄水ポットは、浄化された水を収容するポット本体（１）と、ポット本体に着脱自在に装着され、浄化すべき水道水を一時的に貯え浄化してからポット本体に排出する浄水器本体（２）と、浄水器本体の底部又はその付近に交換可能に装着され、水道水を浄化するカートリッジ式の浄水器（３）とを具える。前記浄水器は、中央に位置する第１の浄化領域（２１）と、第１の浄化領域を取り囲むように形成した第２の浄化領域（２２）とを有し、浄水器本体に流入した水道水は、浄水器本体の浄水器よりも上側の空間に一時的に貯えられ、前記第２の浄化領域を下側から上側に向けて進行して第１の浄化領域に流入し、第１の浄化領域を上側から下側に向けて進行し、浄化されてポット本体に排出される。【選択図】  図４
2008023424.tif 000002
【特許請求の範囲】
【請求項１】
浄化された水を収容するポット本体と、このポット本体に着脱自在に装着され、浄化すべき水を一時的に貯え浄化してから前記ポット本体に供給する浄水器本体と、この浄水器本体内に交換可能に装着されるカートリッジ式の浄水器とを具えた浄水ポットにおいて、
前記浄水器は、中央に位置する第１の浄化領域と、第１の浄化領域を取り囲むように設けた第２の浄化領域とを有し、
前記浄水器本体に流入した水は、浄水器本体の浄水器よりも上側の空間に一時的に貯えられ、前記第２の浄化領域を下側から上側に向けて進行して第１の浄化領域に流入し、第１の浄化領域を上側から下側に向けて進行し、浄化されてポット本体内に供給されることを特徴とする浄水ポット。
【請求項２】
請求項１に記載の浄水ポットにおいて、前記カートリッジ式の浄水器の第１の浄化領域と第２の浄化領域はそれぞれの上面との間に隙間を有する共通の蓋体にて覆われ、前記カートリッジ式の浄水器の外周面と浄水器本体内側面との間には流路が形成され、また第２の浄化領域と浄水器本体底面との間には前記流路に続く流路が形成されていることを特徴とする浄水ポット。
【請求項３】
請求項１又は２に記載の浄水ポットにおいて、前記第２の浄化領域及び第１の浄化領域には、互いに異なる浄化剤が収容されていることを特徴とする浄水ポット。
【請求項４】
請求項３に記載の浄水ポットにおいて、前記第２の浄化領域には活性炭を主体とする浄化剤が収容され、前記第１の浄化領域にはイオン交換性のセラミックスを主体とする浄化剤が収容されていることを特徴とする浄水ポット。
【発明の詳細な説明】
【技術分野】
【０００１】
本発明は浄水ポット、特に水質改善効率が飛躍的に増大した浄水ポットに関する。
【背景技術】
【０００２】
水道水を取り入れ水質改善を行う浄水ポットが広く実用化されている。従来の浄水ポットでは、浄化された水を収容するポット本体と、ポット本体内に収納され水道水を蓄積する漏斗状の容器とを具える浄水ポットが既知である（例えば、特許文献１、特許文献２参照）。この既知の浄水ポットでは、ポット本体内に収納される漏斗状容器が用いられ、当該容器の漏斗部に活性炭を収容し、漏斗部の先端に浄化剤を収容した浄水袋が装着されている。水道水は漏斗状の容器内を上方から下方に向けて進行し、断面積の小さい漏斗状部を通過する間に浄化され、容器の最下端からポット本体内に排出されている。
【０００３】
【特許文献１】特開２００４−４９９４６号公報
【特許文献２】特開２００４−４１９４８号公報
【発明の開示】
【発明が解決しようとする課題】
【０００４】
上述した既知の浄水ポットでは、断面積の小さい漏斗部を上方から下方に通過する間に浄化しているため、水質改善を行うためには漏斗部の長さを長く設定する必要があり、浄化に要する時間が長時間にわたる欠点がある。しかも、浄化作用が行われる漏斗部が浄化された水を貯めるためのポット本体の底部側まで延在しているため、漏斗部が浄化水中に浸漬された状態となり、浄化前の水道水に作用する水圧が低くなり、浄化に要する時間がさらに長くなる欠点がある。
【０００５】
本発明の目的は、水質改善効率が改良され、浄化に要する時間が短縮された浄水ポットを提供することにある。
【課題を解決するための手段】
【０００６】
本発明による浄水ポットは、浄化された水を収容するポット本体と、このポット本体に着脱自在に装着され、浄化すべき水を一時的に貯え浄化してから前記ポット本体に供給する浄水器本体と、この浄水器本体内に交換可能に装着されるカートリッジ式の浄水器とを具えた浄水ポットにおいて、
前記浄水器は、中央に位置する第１の浄化領域と、第１の浄化領域を取り囲むように設けた第２の浄化領域とを有し、前記浄水器本体に流入した水道水は、浄水器本体の浄水器よりも上側の空間に一時的に貯えられ、前記第２の浄化領域を下側から上側に向けて進行して第１の浄化領域に流入し、第１の浄化領域を上側から下側に向けて進行し、浄化されてポット本体内に供給されることを特徴とする。
【０００７】
特に本発明の特徴となる部分は、カートリッジ式の浄水器であり、この浄水器の第１の浄化領域と第２の浄化領域はそれぞれの上面との間に隙間を有する共通の蓋体にて覆われ、前記カートリッジ式の浄水器の外周面と浄水器本体内側面との間には流路が形成され、また第２の浄化領域と浄水器本体底面との間には前記流路に続く流路が形成され、これにより第２の浄化領域では立ち上がり方向の流れが、また第１の浄化領域では前記の流れに連続する立ち下がり方向の流れが形成され、浄化材に対する接触が有効になされる。
【０００８】
本発明によるカートリッジ式の浄水器は、同一の水平面内に２つの浄化領域が形成された二重構造を有する。第１の浄化領域はポット本体のほぼ中央に位置し、第２の浄化領域は第１の浄化領域の取り囲むように位置する。浄化すべき水道水は、第２の浄化領域を下側から上側に向けて進行し、第１の浄化領域を反対方向に、すなわち上側から下側に向けて進行し、この間に浄化される。このように、空間的に分離された２つの浄化領域を同一の水平面上に設けることにより、水道水が通過する浄化領域の断面積がポット本体の断面積にほぼ等しく設定されるので、水質改善効率が一層改善される。しかも、浄化領域の有効面積が拡張されるので、浄水器の垂直方向の長さが短縮され、ポット本体の浄化された水が貯えられる空間の体積も拡大され、大量の浄化水を貯えることが可能になる。さらに、流入した水道水を一時的に貯える空間と浄化された水を貯える空間とが分離されているので、浄水器内を通過する水に大気圧が作用するので、浄化時間も短縮される。
【０００９】
本発明による浄水ポットの好適実施例は、浄水器本体に蓄積された水は、浄水器本体と浄水器との間に形成された空間を経て第２の浄化領域の下端に流入し、第２の浄化領域を下側から上側に向けて進行し、前記第２の浄化領域と第１の浄化領域とを連通させる空間を経て第１の浄化領域に流入し、第１の浄化領域を上側から下側に向けて進行し、その間に浄化されて前記ポット本体に排出されることを特徴とする。
【発明の効果】
【００１０】
本発明では、浄水器の構造を水平方向に二重構造とし、大気圧を利用して浄化対象の水が２つの浄化領域を上下方向に進行する構造としているため、水質改善効率が一層増大した浄化ポットが実現される。さらに、浄化水を貯える空間と浄化処理を行う領域とを空間的に分離しているので、浄化対象の水に対して常時大気圧が作用するので、スムースな浄化処理が行われる。
【発明を実施するための最良の形態】
【００１１】
図１〜図３は本発明に係る浄水ポットの一例を示す図である。図１Ａ〜Ｃは各構成要素が浄水ポット内に収納された状態を示す平面図、側面図及び正面図である。図２は、各構成要素が分解された状態を示す図である。図３Ａ及びＢは、浄水器本体内に浄水器が配置された状態を示す平面図及び線図的断面図である。さらに、図４は、浄水器本体内に貯えられた水が浄化されてポット本体に排出される経路を示す線図的断面図である。
【００１２】
図２に示すように、本発明による浄水ポットは、浄化された水（水道水）を収容するポット本体１と、ポット本体１内に着脱自在に装着される浄水器本体２と、浄水器本体内に交換可能に配置される浄水器３と、浄水器本体２に装着される蓋４とを有する。
【００１３】
ポット本体１は、例えば透明な合成樹脂材料で構成され、浄化された水を収容すると共に浄水器本体２を収納する。ポット本体１の上側には把手１１が一体的に形成されると共に、浄化された水を注ぎ出す注水口１２が形成されている。さらに、ポット本体１の垂直方向の中央よりもやや上側の内周部に浄水器本体を支持する肩部１３が形成される。従って、ポット本体１内に浄水器本体２が着脱自在に装着され、浄水器本体はポット本体の内周側に形成した肩部１３により位置決め支持される。この肩部１３の位置は、浄化された水が満たされる限界位置よりも上側に設定する。従って、浄水器本体内に収納される浄水器の位置は、ポット本体内に満たされる浄化水の限界位置よりも上側に位置するため、浄水器を通過する水には常時大気圧が作用し、スムースに浄化処理が行われる。
【００１４】
浄水器本体２の底部又はその付近にカートリッジ式の浄水器３が交換可能に装着されると共に蓋４が着脱自在に装着される。浄水器本体２の内壁面と浄水器３の外周面との間に流路Ｆ１となる隙間（空間）が形成される。
【００１５】
また、浄水器３の後述する第２の浄化領域２２の下面と浄水器本体２の底面との間にも前記流路Ｆ１に連続する流路Ｆ２となる隙間（空間）が形成される。              
【００１６】
浄化すべき水は、蓋４を取り外した状態で浄水器本体２内に流入し、浄水器３の上側の空間に一時的に貯えられ、浄水器３の内部を通過することにより徐々に浄化され、浄化された水はポット本体に排出される。
【００１７】
図３及び図４に示すように、本発明による浄水器３は水平面内において二重構造を形成し、中央に位置する第１の浄化領域２１と第１の浄化領域の周囲に設けた第２の浄化領域２２を有する。これら第１の浄化領域２１と第２の浄化領域２２は共通の蓋体２５で閉塞され、また蓋体２５下面と第１の浄化領域２１と第２の浄化領域２２との間には流路Ｆ３となる隙間（空間）が形成されている。
【００１８】
前記第１の浄化領域２１にはイオン交換性のセラミックを主体とする浄化剤が装填され、周囲に位置する第２の浄化領域２２には活性炭を主体とする浄化剤が収容される。第１の浄化領域２１の下側及び上側には、それぞれメッシュ２３ａ及び２３ｂが貼り付けられ、第２の浄化領域２２の下側及び上側にもメッシュ２４ａ及び２４ｂを貼り付ける。従って、浄化領域内に収容された各浄化剤は、浄水器の容器とメッシュにより保持され、水はメッシュを介して浄化領域内に流入し、メッシュを介して浄化領域から流出する。
【００１９】
次に、図４を参照して水の流れについて説明する。この水の流れはパスカルの原理を利用したものであり、先ず浄水器本体２内に流入した水は、浄水器本体の浄水器３の上側に位置する空間内に一時的に貯えられる。その後、浄水器本体２の壁部と浄水器２との間の流路Ｆ１を経て、浄水器本体の底面と浄水器との間の流路Ｆ２内に流入し、浄水器の第２の浄化領域２１内に流入し、下側から上側に向けて流れし、第２の浄化領域の上側から流出する。次に、第２の浄化領域と第１の浄化領域とを連通する流路Ｆ３を経て第１の浄化領域２１内に流入し、第１の領域２１内を上側から下側に向けて流れ、出口開口２６から流出してポット本体１内に供給される。
【００２０】
本発明では、浄水器とポット本体内に収容された浄化水とは、空間的に分離されているので、浄水器内を流れる水に対して常時大気圧が作用するので、水は浄水器内をスムースに進行し、浄化に必要な時間が短縮される。
【００２１】
ポット本体内に収容された浄化水は、ポット本体１と浄水器本体２との間に形成された隙間ないし空間３０及び注水口１２を経てコップ等に注水される。
【図面の簡単な説明】
【００２２】
【図１】本発明による浄水ポットの一例を示す平面図、側面図及び正面図
【図２】ポット本体、浄水器本体、浄水器及び蓋を分離して示す図
【図３】浄水器本体内に浄水器が交換可能に装着された状態を示す平面図及び側面図
【図４】水が浄水器内を流れる状態を説明した図
【符号の説明】
【００２３】
１・・・ポット本体
２・・・浄水器本体
３・・・浄水器
４・・・蓋
１１・・・把手
１２・・・注水口
１３・・・肩部
２１・・・第１の浄化領域
２２・・・第２の浄化領域
２３ａ，２３ｂ，２４ａ，２４ｂ・・・メッシュ
２５・・・共通の蓋体
Ｆ１、Ｆ２、Ｆ３・・・流路
【図１】
2008023424.tif 000003
【図２】
2008023424.tif 000004
【図３】
2008023424.tif 000005
【図４】
2008023424.tif 000006
【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
浄化された水を収容するポット本体と、このポット本体に着脱自在に装着され、浄化すべき水を一時的に貯え浄化してから前記ポット本体に供給する浄水器本体と、この浄水器本体内に交換可能に装着されるカートリッジ式の浄水器とを具えた浄水ポットにおいて、
前記浄水器は、中央に位置する第１の浄化領域と、第１の浄化領域を取り囲むように設けた第２の浄化領域とを有し、前記第１の浄化領域と第２の浄化領域は共通の蓋体にて覆われ、この共通の蓋体の下面と第１の浄化領域を画成する隔壁の上端との間には前記第１の浄化領域と第２の浄化領域をつなぐ隙間が形成され、また前記カートリッジ式の浄水器の外周面と浄水器本体内側面との間には流路が形成され、前記第２の浄化領域と浄水器本体底面との間には前記流路に続く流路が形成され、前記浄水器本体に流入した水は、浄水器本体の浄水器よりも上側の空間に一時的に貯えられ、前記カートリッジ式の浄水器の外周面と浄水器本体内側面との間の流路を介して、前記第２の浄化領域に下から流入し、前記第２の浄化領域を下側から上側に向けて進行し、前記共通の蓋体の下面との間の隙間を介して第１の浄化領域に流入し、第１の浄化領域を上側から下側に向けて進行し、浄化されてポット本体内に供給されることを特徴とする浄水ポット。
【請求項２】
請求項１に記載の浄水ポットにおいて、前記第２の浄化領域及び第１の浄化領域には、互いに異なる浄化剤が収容されていることを特徴とする浄水ポット。
【請求項３】
請求項２に記載の浄水ポットにおいて、前記第２の浄化領域には活性炭を主体とする浄化剤が収容され、前記第１の浄化領域にはイオン交換性のセラミックスを主体とする浄化剤が収容されていることを特徴とする浄水ポット。